(57)【特許請求の範囲】
【請求項１】
相互に隣接した頂部付き膨張部からなる三次元表面構造を持つ、光学的偽装効果を持つ偽装材料において、前記膨張部が曲線の母線を持ち、かつ前記膨張部が円錐形の膨張部であることを特徴とする偽装材料。
【請求項２】
膨張部が少なくとも部分的に透明であることを特徴とする請求項１に記載の偽装材料。
【請求項３】
プラスチックまたはエラストマー材料から作られることを特徴とする請求項１または２に記載の偽装材料。
【請求項４】
導電性材料及び／又は磁性材料を含むことを特徴とする請求項１から３のいずれか一つに記載の偽装材料。
【発明の詳細な説明】
【０００１】
この発明は頂部付きの相互に隣接した膨張部からなる三次元表面構造を持つ偽装材料に関する。
【０００２】
偽装目的のための三次元表面構造は既知である。一例はＵＳ−Ａ−３０６９７９６であり、それは伸ばされたときそれらが葉状構造をとるような特別の方法で切断されている偽装層を示す。別の例はＵＳ−Ａ−３８６３９６７であり、それは互いに収納され一種の伝導層を形成する多数の類似中空傾斜付きピラミッド形状の突起を持つレーダー偽装を示す。
【０００３】
照明された対象物（可視光線及び不可視光線の両者の偵察手段を含む）を偽装するときの特別の問題は全体で自然に似ている何かを得ることの困難性である。特別な困難性は先行技術の偽装表面がそれぞれ異なる視る角度及び照明で余りに異なって見えることである。例えば草の表面は降り注ぐ光線に対して９０°の角度で見たときに比べて光線に対抗して見たときまたは光線方向に見たときほぼ同じ色を持ちかつ輝度にそんなに大きな差がない。しかし、ペンキを塗ったブリキ板は光線に対抗して見たときそれ自身非常に輝きを示すであろうし、これは如何に良好なかつ艶消し偽装ペンキがブリキ板を覆うように用いられているかとは別である。
【０００４】
例えばＵＳ−Ａ−３８３６９６７に示されたもののような構造は本発明の変装または偽装目的のためにはむしろ不適当であることが実際に示されている。なぜならその三次元構造は平坦表面から構成されており、それが鏡のような反射を与え、その反射はレーダー偽装のためには重要であるが、本発明で予想された使用のためには重要ではないからである。可視光線及び例えば近赤外線ではその外観はちっとも自然的でない。
【０００５】
この発明の問題は本発明により全ての方向に最少の平坦な鏡面的活性表面を持つ三次元表面を得ることにより解決される。より詳細には、この発明は本質的に全ての視る方向に曲面を持つことを特徴とする相互に隣接した頂部付き膨張部からなる三次元表面構造を持つ偽装材料に関する。
【０００６】
頂部付きとして述べられる膨張部はそれらを通るある部分がその頂部が本質的に尖っているが幾らか丸くなっていることができる切り口の曲線を形成するようなものと理解されるべきである。しかし、幾分明白な頂点または辺として終わることが好ましい。もしそれらが尖ったものとして作られるなら、尖端自身実際には幾らか丸くなっているであろうし、これはまた辺形状に対してもあてはまる。
【０００７】
本願発明の要旨は、相互に隣接した頂部付き膨張部からなる三次元表面構造を持つ、光学的偽装効果を持つ偽装材料において、前記膨張部が曲線の母線を持ち、かつ前記膨張部が円錐形の膨張部であることを特徴とする偽装材料である。
【０００８】
本願発明の偽装材料の好ましい態様は、以下の通りである：
（ｉ）膨張部が少なくとも部分的に透明である；
（ｉｉ）偽装材料は、プラスチックまたはエラストマー材料から作られる；
（ｉｉｉ）偽装材料は、導電性材料及び／又は磁性材料を含む。
【００１１】
視覚効果に加えて、例えばレーダー吸収特性を持つ層の三次元構造下の配置により、レーダー偽装効果を得ることも可能であり、これはＵＳ−Ａ−３７３３６０６から既知のような表面抵抗を配置することにより達成される。また他の輻射線波長間隔で好都合な特性を配置するように、種々の種類の先行技術の偽装染料による着色等も可能である。
【００１２】
今やこの発明が例と関連図面により説明される。
図１はこの発明による偽装材料の例を示す。
図２は偽装ペンキ塗りブリキ板、自然の草表面及び錐形から構築された偽装材料の種々の視角に対する輝度の比較を示す。
図３Ａと３Ｂ及び図４Ａと４Ｂはそれぞれ偽装ペンキ塗りブリキ板とこの発明による表面のそれぞれに対する色記録を示す。
【００１３】
図１にこの発明により示された種類の偽装材料の非限定例が示されている。表面に５ｍｍの高さと約６０°の錐角を持ち５ｍｍの相互距離を持つ変位列の成形プラスチック錐形がある。この場合、対称性は六角形であり、各錐形に六つの最隣接がある。これに代えて、それらは五点形位置、すなわち各錐形に四つの最隣接を持って配列されることができる。
【００１４】
錐形の膨張部は少なからずも製造の理由のためたとえ配列された構造が好ましいとしても、よりランダムな乱れた配列であることもできる。更に、錐形の寸法は高さが１ｍｍから５０ｍｍのように比較的大きな制限内で変えることができる。５ｍｍの高さは小さな錐形で減少されるほこりの許容度、及びより大きな錐形で増える材料消費及び重量を考慮して適当な均合値である。
【００１５】
図２は三つの異なる表面に対する、かすめ入射線と光線に対抗して（−９０°）及びかすめ入射線と光線に沿って（＋９０°）の間で測定した、視角の関数として、測定した輝度の図を示す：曲線１は艶消し偽装ペンキで塗られたブリキ板表面を示し、曲線２は自然の草表面を示し、曲線３は図１に示されたような表面を示す。輝度は任意のしかし線形単位で再生される。測定は、曲線１に対しては地面の上に置かれたペンキ塗りのブリキ板により、及び曲線３に対しては同じ方法で地面の上に置かれた、この発明による錐形を持つ板により、芝生上の太陽光でなされた。
【００１６】
図から、ペンキ塗りブリキ板が逆光で特に不利であることが分かる。自然のどのような対象物も、恐らく水面を除き、逆光でかかる輝度をほとんど示さない。ブリキ板表面及び同様物が正に偽装を必要とする最も普通の軍事材料であるという事実を考慮すると、この点の改善が非常に重要であることは明らかである。
【００１７】
曲線２に相当する草の表面は最も達成するのが望まれるものとして考慮されねばならない。これに関して、曲線３の如き例示的構造が満足しうる模造品である。
【００１８】
用いられた例示的構造は不透明材料から作られている。順光方向に観察された輝度の増加はそれに依存しており；草の表面はある透明性を持つ葉からなる。もし錐形材料が幾らか透明に作られているなら、その結果はより自然であるであろう。従って好適実施例において、錐形は幾らか透明な材料から作られ、かつ中空であるのが好ましい。
【００１９】
図３Ａ，３Ｂは異なる視角で測定されたペンキ塗りブリキ板に関するカラーダイヤグラムを示す。図３Ａは視角をかすめ逆光とかすめ順光間で変えるときの偽装ペンキ塗り板が色を変えるのをＣＩＥ  １９３１によりダイヤグラムで示す。図３Ｂは図３Ａと同じｘ−軸を持つ角度がかすめ順光（最左側）から逆光（ダイヤグラムの最右側）に変えられるときの光度（尺度随意であるが、線形）を示す。比較すると、図４Ａと４Ｂはこの発明による錐形を持つ表面に対して同様な測定を示す。この発明の表面は視角を変えても輝度及び色の両者とも極めて良好な特性を持つ。全てのそれらのダイヤグラムはミノルタクロマメータ、ＣＳ１００型により記録された。
【００２０】
それらのダイヤグラムから視角が変えられるとき色の大きな変化がまたあることが明らかになる。図３Ｂと図４Ｂは図２に示された結果を確証する。
【００２１】
意図した三次元構造はプラスチックの当業者に理解されるような多くの方法で製造されることができる。一つの方法は成形によるものであり、別の方法はシート、好ましくは織られたまたはプラスチックシートであることができる担持シート上に取り付けた後のシートのエンボスによるものである。またこの構造を金属で作ることも可能である。
【００２２】
この発明がある寸法を持つ構造により例示されたが、それらは目的に依存して、種々の方法で変えられることができることは明らかである。発明効果はまたより大きなまたはより小さな尺度の同じ構造によっても得られる。大きな尺度と重量のある実施例は大きな材料消費と近距離で見ることのできるパターンを導くであろう。小さな尺度では、製造の困難性、並びにクリーニングの困難性があるかもしれない。
【００２３】
環境に応じて、表面は夏色、冬色またはさばく色のような種々の偽装染料／ペンキにより着色されることができる。それらの染料／ペンキはＵＶから近赤外線までの大きな波長間隔内で及び近赤外線間隔内で偽装特性を持つべきである。この材料は自己支持形式とされるかまたは例えば車輌またはタンクに固定されることができる。
【００２４】
更に、この材料は部分的覆い表面のために使用され、または例示されたのより規則性を少なくされることができる。
【図面の簡単な説明】
【図１】  本発明による偽装材料の例を示す。
【図２】  偽装ペンキ塗りブリキ板、自然の草表面及び錐形から構築された偽装材料の種々の視角に対する輝度の比較を示す。
【図３】  偽装ペンキ塗りブリキ板とこの発明による表面のそれぞれに対する色記録を示す。
【図４】  偽装ペンキ塗りブリキ板とこの発明による表面のそれぞれに対する色記録を示す。
【図１】
0004291515.tif 000002
【図２】
0004291515.tif 000003
【図３】
0004291515.tif 000004
【図４】
0004291515.tif 000005